(57)【要約】      （修正有）【課題】空調風の風向きを設定可能なものにあって、体格の相違にかかわらず風向き設定を良好に行う。【解決手段】フェイス吹出口から吹出される空調風の風向きの設定を行うにあたって、センターディスプレイ５８の画面に、運転席部分の空間を模した風向き設定可能範囲Ａが表示され、風向き設定可能範囲Ａは、例えば縦方向に５段、横方向に３列の格子状に区画される。運転者は、空調風を当てる位置として、そのうちいずれかの区画を、指定する。このとき、運転者の撮影画像から体格が検知され、検知された体格に応じて、各区画の大きさ（高さ及び幅寸法）が変更される。【選択図】図４
2017178200.tif 000002
【特許請求の範囲】
【請求項１】
吹出口（２１、２２、３１、３２）から車室内に向けて吹出される空調風の、風向き設定可能範囲内における風向きを指定可能な入力装置（４）と、
前記入力装置（４）における風向き指定に基づいて、風向きを制御する風向き制御装置（３、４２）と、
車室内の乗員の体格を検知する体格検知手段（５６）と、
前記体格検知手段（５６）の検知した乗員の体格に応じて、前記入力装置（４）の風向き指定において入力できる内容を変更する変更手段（５５）とを備えてなる車両用空調装置。
【請求項２】
前記体格検知手段は、車室内の乗員を撮影した撮影画像に基づいて、該乗員の体格を検知することを特徴とする請求項１記載の車両用空調装置。
【請求項３】
前記体格検知手段は、乗員が座るシートに設けられた荷重センサの検出荷重に基づいて、該乗員の体格を検知することを特徴とする請求項１記載の車両用空調装置。
【請求項４】
前記体格検知手段は、ソナーを用いて乗員の輪郭を検出することに基づいて、該乗員の体格を検知することを特徴とする請求項１記載の車両用空調装置。
【請求項５】
前記体格検知手段は、レーダを用いて乗員の輪郭を検出することに基づいて、該乗員の体格を検知することを特徴とする請求項１記載の車両用空調装置。
【請求項６】
前記体格検知手段は、赤外線センサを用いて乗員の輪郭を検出することに基づいて、該乗員の体格を検知することを特徴とする請求項１記載の車両用空調装置。
【請求項７】
前記入力装置における風向き指定は、風向き設定可能範囲を複数に分割した区画を指定することにより行われると共に、
前記変更手段は、前記体格検知手段の検知した乗員の体格に応じて、前記各区画の大きさを変更することを特徴とする請求項１から６のいずれか一項に記載の車両用空調装置。
【請求項８】
前記入力装置における風向き指定は、風向き設定可能範囲を複数に分割した区画を指定することにより行われると共に、
前記変更手段は、前記体格検知手段の検知した乗員の体格に応じて、前記風向き設定可能範囲の上限、下限、左限、右限のうち少なくとも一つを変更することを特徴とする請求項１から６のいずれか一項に記載の車両用空調装置。
【請求項９】
前記入力装置における風向き指定は、風向き設定可能範囲を複数に分割した区画を指定することにより行われると共に、
前記変更手段は、前記体格検知手段の検知した乗員の体格に応じて、風向き設定可能範囲を区画に分割する分割数を変更することを特徴とする請求項１から６のいずれか一項に記載の車両用空調装置。
【請求項１０】
前記入力装置における風向き指定は、風向き設定可能範囲を複数に分割した区画を指定することにより行われると共に、
前記変更手段は、前記体格検知手段の検知した乗員の体格に応じて、前記各区画の大きさ、前記風向き設定可能範囲の上限、下限、左限、右限のいずれか、風向き設定可能範囲を区画に分割する分割数のうち、複数を変更することを特徴とする請求項１から６のいずれか一項に記載の車両用空調装置。
【請求項１１】
前記入力装置における風向き指定は、表示画面上に風向き設定可能範囲及びその風向き設定可能範囲を複数に分割した区画を表示し、前記区画を指定することにより行われると共に、
前記表示画面上には、前記体格検知手段の検知した乗員の体格に応じた乗員の輪郭が、前記風向き設定可能範囲に重ねて表示されることを特徴とする請求項１から１０のいずれか一項に記載の車両用空調装置。
【発明の詳細な説明】
【技術分野】
【０００１】
本発明は、運転者等の乗員の入力装置における入力操作により、吹出口から吹出される空調風の風向きの調整を可能とした車両用空調装置に関する。
【背景技術】
【０００２】
自動車に搭載される車両用空調装置においては、空調風の出口に、送風方向を調整するための調整板を設け、この調整板を、Ｘ軸モータ及びＹ軸モータにより２軸方向に駆動することにより、風向きを調整できるようにしたものが知られている（例えば、特許文献１参照）。この特許文献１では、赤外線カメラにより乗員の顔の位置を検出し、空調風が乗員の顔に直接当たらないように、風向きが制御される。
【０００３】
近年では、この種の車両用空調装置にあって、例えば運転席の乗員に対する風向き（空調風を当てる位置）を、入力装置により指定できるようにした構成が考えられている。この構成においては、図９に示すように、入力装置の画面（タッチパネル）１００に、運転席部分の空間を模した風向き設定可能範囲Ａが、やや縦長の矩形状に設定される。この風向き設定可能範囲Ａは、例えば縦（上下）方向に５段、横（左右）方向に３列の格子状に区画される。運転者は、空調風を当てる位置として、そのうちいずれかの区画（１個又は連続した複数個）を、直接的なタッチ操作或いは遠隔操作により、指定（選択）することができる。
【先行技術文献】
【特許文献】
【０００４】
【特許文献１】特開２００３−３４１３３７号公報
【発明の概要】
【発明が解決しようとする課題】
【０００５】
しかしながら、従来考えられているものでは、風向き設定可能範囲Ａにおける、指定できる区画の範囲や分解能は、固定的に決められているので、次のような改善の余地が残されていた。即ち、図９（ａ）には、風向き設定可能範囲Ａに対して、比較的大柄な体格の乗員のシルエットＳを重ねて示しており、カーソルＣ（円で示す）を中央部（上から３段目の中央列）に位置させて風向きを設定したとすると、乗員の首部分に風を当てることができる。この場合、乗員の頭、顔、首を個別に狙って指定することができる。
【０００６】
これに対し、図９（ｂ）には、風向き設定可能範囲Ａに対して、比較的小柄な体格の乗員のシルエットＳを重ねて示している。この場合、小柄な乗員では、頭、顔、首を個別に狙って指定することができなくなり、また、上部の２段分の区画については、空調風を当てる位置を細かく指定できてもあまり意味がなく、無駄になってしまう。このように、従来の風向きの設定の手法では、乗員の体格の相違によって同様の設定ができない不都合が生じていた。
【０００７】
本発明は上記事情に鑑みてなされたもので、その目的は、空調風の風向きを設定可能なものにあって、体格の相違にかかわらず風向き設定を良好に行うことができる車両用空調装置を提供するにある。
【課題を解決するための手段】
【０００８】
上記目的を達成するために、本発明の車両用空調装置（１）は、吹出口（２１、２２、３１、３２）から車室内に向けて吹出される空調風の、風向き設定可能範囲内における風向きを指定可能な入力装置（４）と、前記入力装置（４）における風向き指定に基づいて、風向きを制御する風向き制御装置（３、４２）と、車室内の乗員の体格を検知する体格検知手段（５６）と、前記体格検知手段（５６）の検知した乗員の体格に応じて、前記入力装置（４）の風向き指定において入力できる内容を変更する変更手段（５５）とを備えるところに特徴を有する（請求項１の発明）。
【０００９】
これによれば、ユーザ（運転者を含む乗員）が、入力装置（４）により、吹出口（２１、２２、３１、３２）から車室内に向けて吹出される空調風の風向きを指定すると、風向き制御装置（３、４２）により、指定された風向きに制御される。このとき、体格検知手段（５６）により乗員の体格が検知され、変更手段（５５）により、検知された乗員の体格に応じて、入力装置（４）の風向き指定における入力できる内容が変更される。
【００１０】
これにより、乗員が、大柄な体格であるか、小柄な体格であるか等に応じて、同様な設定ができるように、入力内容を変更すること可能となる。従って、請求項１の発明によれば、空調風の風向きを設定可能なものにあって、体格の相違にかかわらず風向きの設定を良好に行うことができるという優れた効果を奏する。
【図面の簡単な説明】
【００１１】
【図１】本発明の第１の実施形態を示すもので、空調ユニットの概略構成を示す図
【図２】車室内のインストルメントパネル部分を概略的に示す斜視図
【図３】フェイス吹出口のスイングレジスタ部分の構成を示す縦断右側面図
【図４】車両用空調装置に関連する要部の電気的構成を概略的に示すブロック図
【図５】大柄な乗員の場合（ａ）及び小柄な乗員の場合（ｂ）における風向き設定の表示画面の例を示す図
【図６】制御部が実行する区画の変更の処理手順を示すフローチャート
【図７】本発明の第２の実施形態を示すもので、大柄な乗員の場合（ａ）及び小柄な乗員の場合（ｂ）における風向き設定の表示画面の例を示す図
【図８】本発明の第３の実施形態を示すもので、大柄な乗員の場合（ａ）及び小柄な乗員の場合（ｂ）における風向き設定の表示画面の例を示す図
【図９】従来例を示すもので、風向き設定の表示画面の例を示す図
【発明を実施するための形態】
【００１２】
（１）第１の実施形態
以下、本発明を具体化した第１の実施形態について、図１から図６を参照しながら説明する。尚、以下の説明で方向をいう必要がある場合には、基本的には、車室内の運転席からユーザ（運転者を含む乗員）が前方に向かって見た方向を基準とすることとする。つまり、図２は車室内から前部のインストルメントパネルを見た様子を示し、右側が運転席側、左側が助手席側となる。
【００１３】
本実施形態に係る車両用空調装置１は、図１に示すように、空調ユニット２、冷凍サイクル（全体としては図示せず）、それらを制御するエアコンＥＣＵ３、入力装置としての操作入力装置４などから構成され、車両（自動車）に組込まれる。図１は、空調ユニット２の全体構成を模式的に示しており、まず、図１を参照しながら、前記空調ユニット２の全体構成について述べる。
【００１４】
この空調ユニット２は、エアダクト５を備えている。エアダクト５内には、上流側（図で左側）に位置してブロワ６が設けられ、そのブロワ６の下流側（図で右側）に位置して、冷凍サイクルの一部を構成するエバポレータ７が設けられている。前記ブロワ６は、例えば、ブロワモータ８により回転駆動される遠心ファンから構成され、エアダクト５の空気導入口９から空気を吸込んで前記エバポレータ７側に吐出する。尚、図示はしないが、前記冷凍サイクルは、コンプレッサ、コンデンサ、レシーバ、膨張弁、エバポレータ７を、冷媒管により閉ループ状に接続してなる周知構成を備え、以て、前記エバポレータ７を通過する風が冷却されるようになっている。
【００１５】
前記ブロワモータ８は、エアコンＥＣＵ３により駆動回路１０を介して回転駆動される。このとき、エアコンＥＣＵ３によるブロワモータ８の回転数制御により、空調風の風量が可変（調整）される。また、前記空気導入口９部分には、吸込み空気を内気と外気との間で切替える内外気切替ダンパ１１が設けられている。この内外気切替ダンパ１１は、モータ１２により駆動される。
【００１６】
エアダクト５内には、前記エバポレータ７の下流に位置して仕切板１３により２つに区画され、運転席側に空調風を送るための第１の空気通路１４と、助手席側に空調風を送るための第２の空気通路１５とが設けられる。また、それら２つの空気通路１４、１５に跨るようにして、空調風を加熱するためのヒータコア１６が設けられている。これと共に、ヒータコア１６の近傍には、第１及び第２の空気通路１４及び１５に夫々対応して、第１及び第２のエアミックスダンパ１７及び１８が設けられている。
【００１７】
これら第１及び第２のエアミックスダンパ１７及び１８は、夫々、モータ１９及び２０により駆動され、その開度が調整されるようになっている。これらエアミックスダンパ１７、１８の開度の調整により、前記ヒータコア１６を通る風の割合が調節され、各エアミックスダンパ１７、１８を通る空調風が、夫々目標とする温度に調整されるようになっている。
【００１８】
エアダクト５の下流部には、前記第１の空気通路１４に連通するようにして、車室内の運転席側に空調風を吹出すための、運転席側フェイス吹出口２１、２２、運転席側デフロスタ吹出口２３、運転席側フット吹出口２４が設けられている。また、運転席側フェイス吹出口２１、２２を開閉するための吹出口ダンパ２５、運転席側デフロスタ吹出口２３を開閉するための吹出口ダンパ２６、運転席側フット吹出口２４を開閉するための吹出口ダンパ２７が設けられている。これら吹出口ダンパ２５、２６、２７は、夫々モータ２８、２９、３０により駆動される。
【００１９】
一方、前記第２の空気通路１５に連通するようにして、車室内の助手席側に空調風を吹出すための、助手席側フェイス吹出口３１、３２、助手席側デフロスタ吹出口３３、助手席側フット吹出口３４が設けられている。また、助手席側フェイス吹出口３１、３２を開閉するための吹出口ダンパ３５、助手席側デフロスタ吹出口３３を開閉するための吹出口ダンパ３６、助手席側フット吹出口３４を開閉するための吹出口ダンパ３７が設けられている。これら吹出口ダンパ３５、３６、３７は、夫々モータ３８、３９、４０により駆動される。尚、前記各モータ１２、１９、２０、２８、２９、３０、３８、３９、４０は、前記エアコンＥＣＵ３により通電制御される。
【００２０】
このとき、図２にも一部に示すように、前記運転席側フェイス吹出口２１、２２、及び、助手席側フェイス吹出口３１、３２は、やや横長な形状をなし、インストルメントパネル４１の奥側に位置して、夫々左右に並んで設けられている。尚、運転席側デフロスタ吹出口２３及び助手席側デフロスタ吹出口３３は、横長形状をなし、インストルメントパネル４１の更に奥側に設けられている。
【００２１】
そして、図１、図３に示すように、各フェイス吹出口２１、２２、３１、３２部分には、車室内に向けて吹出される空調風の風向きを変更するための風向き調整機構としてのスイングレジスタ４２が夫々設けられている。図３に、運転席側フェイス吹出口２１のスイングレジスタ４２を代表させて示す。フェイス吹出口２１内の上部には、左右方向に延びる複数個の横ルーバ４３が、前後に平行に並んで左右に水平に延びる回動軸を中心に回動可能に設けられている。これら複数個の横ルーバ４３は、連動して揺動（回動）するように構成されている。
【００２２】
前記横ルーバ４３の下方には、前後方向に延びる複数個（１個のみ図示）の縦ルーバ４４が、左右方向に平行に並んで前後に水平に延びる回動軸を中心に回動可能に設けられている。これら複数個の縦ルーバ４４も、連動して揺動（回動）するように構成されている。前記横ルーバ４３のうち中央部に位置するものには、手動用の操作ノブ４５が、左右方向にスライド移動可能に設けられ、操作ノブ４５の下端部が、１つの縦ルーバ４４に連結されている。これにて、操作ノブ４５を前後に搖動させることにより、横ルーバ４３を回動させて、風の吹出し方向を前後（上下）方向に調整できる。また、操作ノブ４５を横方向にスライド移動させることにより、縦ルーバ４４を回動させて、風の吹出し方向を左右方向に調整できる。
【００２３】
このスイングレジスタ４２には、モータ４６を駆動源として縦ルーバ４４を回動させるための、縦ルーバ駆動機構４７が設けられている。これと共に、やはりモータ（図示せず）を駆動源として横ルーバ４３を回動させるための横ルーバ駆動機構４８（破線で図示）が設けられている。これら縦ルーバ駆動機構４７のモータ４６及び横ルーバ駆動機構４８のモータも、前記エアコンＥＣＵ３により通電制御され、これにて、各フェイス吹出口２１、２２、３１、３２から吹出される空調風の風向きを制御することができる。
【００２４】
前記エアコンＥＣＵ３は、コンピュータを含んで構成され、車両用空調装置１全体を制御する。このとき、図１に示すように、エアコンＥＣＵ３には、各種センサ５３からの信号が入力されると共に、後述する操作入力装置４の制御部５５（図４参照）からの設定信号が入力されるようになっている。詳しい図示は省略するが、前記各種センサ５３には、内気温センサ、外気温センサ、日射センサ、エバ後温度センサ、冷却水温センサ、湿度センサ等が含まれる。
【００２５】
前記操作入力装置４の制御部５５から入力される設定信号には、運転モード、設定温度、風量、吹出口、風向き等が含まれる。エアコンＥＣＵ３は、そのソフトウエア的構成により、前記制御部５５から入力された設定信号、及び、前記各種センサ５３の検出信号等に基づき、前記ブロワモータ８、各モータ１２、１９、２０、２８、２９、３０、３８、３９、４０、各スイングレジスタ４２（縦ルーバ駆動機構４７及び横ルーバ駆動機構４８）、前記冷凍サイクルやヒータコア１６を制御し、空調運転を実行する。このとき、後述するように、エアコンＥＣＵ３は、操作入力装置４における風向きの指定に基づいて、各スイングレジスタ４２を制御し、指定された風向きを得るようになっている。従って、エアコンＥＣＵ３、各スイングレジスタ４２等から風向き制御装置が構成される。
【００２６】
さて、図４に示すように、前記操作入力装置４は、制御部５５、センターディスプレイ５８、遠隔操作装置としての遠隔デバイス５９等から構成されている。前記エアコンＥＣＵ３は、ＣＡＮ等の車内ＬＡＮ５４を介して、前記操作入力装置４の制御部５５に接続されている。本実施形態では、車内ＬＡＮ５４には、体格検知手段として機能するカメラシステム５６が接続されている。詳しい図示は省略するが、このカメラシステム５６は、運転席の運転者（更には助手席の乗員）を撮影するためのカメラや、その撮影画像データを処理する画像処理装置などを含んでいる。
【００２７】
前記制御部５５は、コンピュータを主体として構成され、この制御部５５に、前記センターディスプレイ５８及び遠隔デバイス５９が接続されている。センターディスプレイ５８は、例えばカラー液晶ディスプレイから構成され、図２にも示すように、前記インストルメントパネル４１の中央部に設けられている。センターディスプレイ５８の表示は、前記制御部５５により制御される。このセンターディスプレイ５８には、地図画面や、車両用空調装置１を含む各車載機器の制御（指示・選択）用の画面などの各種の画面が表示されるようになっている。また、図示はしないが、センターディスプレイ５８の表面部には、操作入力用のタッチパネルも設けられている。タッチパネルの操作信号が制御部５５に入力される。
【００２８】
前記遠隔デバイス５９は、乗員が、センターディスプレイ５８の画面上に表示されたグラフィックス（ＧＵＩ）を選択操作するために設けられ、その操作によって、車両用空調装置１等の各車載機器に対する指示や選択、設定などの入力操作を行うことが可能に構成されている。詳しい図示は省略するが、遠隔デバイス５９は、例えば、傾動操作可能な操作ノブ（ジョイスティック）と、押ボタンスイッチからなる決定スイッチとを備えて構成され、それら操作ノブの傾動操作方向の検知信号や決定スイッチの操作信号が、前記制御部５５に入力される。この遠隔デバイス５９は、例えば車室内のセンターコンソール（シフトレバーの後ろ側）部分に設けられている。
【００２９】
このとき、車両の運転者等の乗員は、センターディスプレイ５８の画面上のタッチパネルのタッチ操作、或いは、遠隔デバイス５９の操作により、車両用空調装置１に対する運転モードの設定、温度の設定、風量設定、吹出口の選択、風向きの設定等の各種設定を行うことができる。この場合、吹出口の選択、風向き設定等を運転席側と助手席側とで個別に行うことも可能となっている。
【００３０】
本実施形態では、運転席の運転者を例に説明するが、運転席に対しフェイス吹出口２１、２２から吹出される空調風の風向きの設定を行うにあたって、図５に示すように、センターディスプレイ５８の画面に、運転席部分の空間を模した風向き設定可能範囲Ａが、やや縦長の矩形状に設定される。この風向き設定可能範囲Ａは、例えば縦（上下）方向に５段、横（左右）方向に３列の格子状に分割されて区画される。運転者等の乗員は、空調風を当てる位置として、そのうちいずれかの区画（１個又は連続した複数個）を、タッチパネル或いは遠隔デバイスの操作により、設定（指定）することができる。
【００３１】
この風向きの設定にあたっては、制御部５５は、センターディスプレイ５８の画面に、乗員、この場合運転者の胸から上部分を表すようなシルエットＳ（輪郭）を表示させると共に、そのシルエットＳに重ね合せて、風向き設定可能範囲Ａを５段３列に分割した各区画を示す格子を表示する。また、設定されている風向きの領域にカーソルＣを表示する。ここで、本実施形態では、乗員である運転者の体格が検知され、検知された乗員の体格に応じて、操作入力装置４の風向き指定における入力できる内容が変更される。具体的には、前記区画のパターンが変更され、本実施形態では、各区画の大きさ（高さ及び幅寸法）が変更される。
【００３２】
また本実施形態では、乗員（運転者）の体格の検知は、前記カメラシステム５６により運転者を撮影することに基づき、その撮影画像から、運転者の胸から上部分の輪郭を抽出することにより行われる。図５に例示するように、区画の大きさを変更するにあたっては、全体の風向き設定可能範囲Ａはそのままで、運転者の体格に応じて、その中で分割される各段の高さ方向の寸法、及、各列の幅方向の寸法が変更される。この場合、風向き設定用の画面には、実際に撮影した運転者の体格に応じた大きさでシルエットＳが、風向き設定可能範囲Ａに重ねて表示される。
【００３３】
図５（ａ）は、大柄な体格の運転者の場合を示し、例えば、運転者の首部分を中心として、上下方向に５段、左右方向に３列の区画が、均等な高さ及び幅寸法で設定される。これに対し、図５（ｂ）は、かなり小柄な体格の運転者の場合を示し、やはり、運転者の首部分が中心の区画に来るように、上下方向（上下段）に関しては、上段ほど高さ寸法が大きく下段ほど高さ寸法が小さくなるようにし、且つ、幅方向（列）に関しては、中列でやや幅寸法が小さく左右の列で幅寸法がやや大きくなるように、各区画が変更される。従って、制御部５５が変更手段としての機能を果たすようになっている。
【００３４】
このような風向き設定用の画面において、乗員が風向きを指定すると、制御部５５は、その指定操作に基づいて風向き設定信号をエアコンＥＣＵ３に対して出力する。すると、エアコンＥＣＵ３は、その設定信号に基づいて、前記各スイングレジスタ４２（縦ルーバ駆動機構４７及び横ルーバ駆動機構４８）を制御し、以て、フェイス吹出口２１、２２、３１、３２から、指定された風向きで空調風が吹出されるようになる。尚、ここでは、運転席（運転者）で説明したが、助手席の乗員に関しても、風向き設定に関して、独立して同様の処理を行うことができる。
【００３５】
次に、上記のように構成された車両用空調装置１の作用について、図６も参照して述べる。図６のフローチャートは、車両用空調装置１におけるフェイス吹出口２１、２２、３１、３２に関する風向き設定を行うにあたって、制御部５５が実行する指定区画の変更の処理の手順を示している。即ち、まずステップＳ１では、運転者があるかどうか（運転席のシートに座っているか）どうかが判断され、運転者がある場合には（ステップＳ１にてＹｅｓ）、次のステップＳ２にて、運転者の体格検知が行われる。
【００３６】
この場合、上述のように、運転者の体格検知は、カメラシステム５６を用いて、車室内の運転者を実際にカメラで撮影した撮影画像に基づいて、運転者の体格が検知される。次のステップＳ３では、検知された運転者の体格に応じて、補正つまり区画の変更の必要があるかどうかが判断される。図５に示した例では、運転者が比較的大柄な体格であれば（図５（ａ）参照）、区画を変更する必要はなく（ステップＳ３にてＮｏ）、そのまま処理が終了する。
【００３７】
これに対し、検出された体格が比較的小柄である場合には（図５（ｂ）参照）、区画の変更が必要とされる（ステップＳ３にてＹｅｓ）。この場合には、ステップＳ４にて、入力可能内容つまり風向き設定可能範囲Ａ内における、各区画の幅寸法及び高さ寸法が変更さ、処理が終了する。この後、運転者等の乗員は、センターディスプレイ５８の画面を見て、タッチパネル或いは遠隔デバイス５９を操作して、風向きの指定（設定）を行うことができる。
【００３８】
この場合、大柄な運転者の場合、図５（ａ）に示すように、各区画を指定することによって、風を当てる位置を、自分の頭、顔、首などに個別に狙って指定することができる。これに対し、小柄な運転者の場合でも、図５（ｂ）に示すように、風向き設定可能範囲Ａ内の下部側の区画の大きさが小さくなっているので、風を当てる位置を、やはり自分の頭、顔、首などに個別に狙って指定することができる。しかも自分の頭部よりも上方の空間が、無駄に細かく区画されることもなくなる。
【００３９】
以上のように、乗員の体格に応じて区画の大きさを変更することによって、狙う部位を同等にすることができると共に、指定区画が無駄に細かくなる不具合も解消することができるのである。またこの場合、センターディスプレイ５８の画面には、風向き設定可能範囲Ａに重ねて、乗員の輪郭がシルエットＳで表示されているので、そのシルエットＳの表示を風向き指定の際の目安とすることができ、所望する風向きを、判りやすく指定することが可能となる。
【００４０】
このように本実施形態によれば、フェイス吹出口２１、２２、３１、３２から車室内に向けて吹出される空調風の風向きを指定するにあたって、車室内の乗員の体格を検知し、検知した乗員の体格に応じて、入力操作装置４の風向き指定において入力できる内容（パターン）を変更するように構成した。これにより、乗員が、大柄な体格であるか、小柄な体格であるか等に応じて、狙う部位の同様な設定ができ、且つ無駄に細かい分割を行うことの無いように、風向き設定可能範囲Ａを分割した各区画の大きさを変更することが可能となった。
【００４１】
この結果、本実施形態によれば、空調風の風向きを設定可能なものにあって、乗員の体格の相違にかかわらず風向きの設定を良好に行うことができるという優れた効果を得ることができる。特に本実施形態では、体格検知手段としてカメラシステム５６を設け、車室内の乗員を撮影した撮影画像に基づいて、該乗員の体格を検知するように構成したので、該乗員の体格を確実に検知することが可能となるといった利点も得ることができる。
【００４２】
（２）第２、第３の実施形態、その他の実施形態
図７は本発明の第２の実施形態を示し、図８は本発明の第３の実施形態を示している。これら第２、第３の実施形態が、上記第１の実施形態と異なるところは、体格検知手段の検知した乗員の体格に応じて、入力できる内容（パターン）を変更する手法にある。従って、車両用空調装置１の全体的な構成など、上記第１の実施形態と同一部分については、新たな図示や詳しい説明を省略し、以下、上記第１の実施形態と相違する点についてのみ述べる。
【００４３】
即ち、図７に示す第２の実施形態においては、検知された乗員の体格に応じて、風向き設定可能範囲Ａの上限、下限、左限、右限のうち少なくとも一つを変更するように構成されている。この場合、図７（ａ）に示すように、大柄な乗員（運転者）の場合には、風向き設定可能範囲Ａを上下に５段、左右に３列に均等に分割した区画とされる。これに対し、図７（ｂ）に示すように、小柄な乗員の場合には、風向き設定可能範囲Ａ内の上限、下限、左限、右限の夫々を所定幅で除外し、風向き設定可能範囲全体を小さい範囲Ａ´としている。そして、この小さい範囲Ａ´内を、上下に５段、左右に３列に均等に分割した区画としている。
【００４４】
これによれば、乗員の体格に応じて全体の範囲の大きさを変更することにより、小柄な乗員の場合には区画を小さくすることができ、上記第１の実施形態と同様に、狙う部位を同等にすると共に、無駄に細かい分割を行う不具合を解消することができる。この結果、この第２の実施形態によっても、空調風の風向きを設定可能なものにあって、乗員の体格の相違にかかわらず風向きの設定を良好に行うことができるという優れた効果を得ることができる。
【００４５】
図８に示す第３の実施形態においては、検知された乗員の体格に応じて、風向き設定可能範囲Ａを区画に分割する分割数、つまり分解能を変更するように構成されている。この場合、図８（ａ）に示すように、大柄な乗員（運転者）の場合には、風向き設定可能範囲Ａを上下に５段、左右に３列に均等に分割した１５の区画とされる。これに対し、図８（ｂ）に示すように、小柄な乗員の場合には、例えば風向き設定可能範囲Ａを上下に７段、左右に５列に均等に分割した３５の区画が設けられる。
【００４６】
これによっても、乗員の体格に応じて風向き設定可能範囲Ａを分割する区画数を変更することにより、小柄な乗員の場合には分割数を多くして、１個の区画を小さくすることができ、大柄な乗員の場合と狙う部位を同等にすることができる。従って、この第３の実施形態によっても、空調風の風向きを設定可能なものにあって、乗員の体格の相違にかかわらず風向きの設定を良好に行うことができるという優れた効果を得ることができる。
【００４７】
更に、図示はしないが、変更手段を、体格検知手段の検知した乗員の体格に応じて、各区画の大きさ、風向き設定可能範囲Ａの上限、下限、左限、右限のいずれか、風向き設定可能範囲Ａを区画に分割する分割数のうち、複数を組合せて変更するように構成することも可能である。このように複数の変更を組合せることにより、より細やかに区画を設定することが可能となり、より効果的とすることができる。
【００４８】
尚、以下においても図示は省略するが、本発明は上記し図面に示した各実施形態に限定されるものではなく、以下に述べるその他の実施形態のような、様々な拡張、変更が可能である。例えば、車室内の運転席、助手席の乗員の体格を検知するための体格検知手段をとして、以下の各構成を採用することができる。
【００４９】
即ち、まず、乗員が座るシートに設けられた荷重センサ（着座センサ）の検出荷重に基づいて、該乗員の体格を検知する構成としても良い。これによれば、シートに設けられた荷重センサを利用して、乗員の体格を十分な確かさで検知することができる。或いは、ソナーを用いて乗員の輪郭を検出することに基づいて、該乗員の体格を検知する構成としたり、レーダを用いて乗員の輪郭を検出することに基づいて、該乗員の体格を検知する構成としたりすることもできる。赤外線センサ（赤外線カメラ）を用いて乗員の体温によって輪郭を検出することに基づいて、該乗員の体格を検知する構成としても良い。いずれの構成にあっても、乗員の体格を十分な確かさで検知することができる。それら複数の構成を組合せて体格を検知するようにしても良い。
【００５０】
その他、例えば遠隔デバイス（遠隔操作装置）の構成としても、回転ダイヤルを有するものなど様々な変更が可能であり、遠隔操作装置を設ける位置としても、ステアリングホイール周辺や、ドアの周辺等であっても良い。遠隔操作装置を運転者の所望の位置に着脱可能に設けたり、運転者や乗員が手で持って操作できるようにしたりしても良い。運転者等が所持するスマートフォン等の通信端末に、遠隔操作装置の機能を付与する構成とすることも可能である。
【００５１】
また、上記各実施形態では、乗員の体格として、大柄、小柄の２種類について説明したが、より詳細（３段階以上）に分類したり、背の高さに加えて、太っている、やせているといった区別を設けたりすることも可能である。更に、空調ユニットの全体のハードウエア構成や、スイングレジスタのハードウエア構成、センターディスプレイにおける表示形態などについても、様々な変更が可能である等、本発明は、要旨を逸脱しない範囲内で適宜変更して実施し得るものである。
【符号の説明】
【００５２】
図面中、１は車両用空調装置、２は空調ユニット、３はエアコンＥＣＵ（風向き制御装置制御手段）、４は操作入力装置（入力装置）、５はエアダクト、６はブロワ、２１、２２、３１、３２はフェイス吹出口（吹出口）、４１はインストルメントパネル、４２はスイングレジスタ（風向き制御装置）、５５は制御部（変更手段）、５６はカメラシステム（体格検知手段）、５８はセンターディスプレイ、５９は遠隔デバイスを示す。
【図１】
2017178200.tif 000003
【図２】
2017178200.tif 000004
【図３】
2017178200.tif 000005
【図４】
2017178200.tif 000006
【図５】
2017178200.tif 000007
【図６】
2017178200.tif 000008
【図７】
2017178200.tif 000009
【図８】
2017178200.tif 000010
【図９】
2017178200.tif 000011